【手続補正書】
【提出日】平成22年1月8日(2010.1.8)
【手続補正１】
【補正対象書類名】特許請求の範囲
【補正対象項目名】全文
【補正方法】変更
【補正の内容】
【特許請求の範囲】
【請求項１】
燃料電池システムであって、
その中に燃料を貯蔵するように構成される燃料貯蔵部と、
前記燃料貯蔵部のうちの１つ以上の部分で取り付け可能なシステムカバーと、
前記システムカバーで前記燃料貯蔵部を取り付けることによって形成される閉鎖領域と、
前記閉鎖領域に配置される少なくとも１つの燃料電池であって、各燃料電池は、反応体プレナムを形成するよう、構造的に配設される１つ以上の柔軟壁を含む前記燃料電池とを備え、
前記１つ以上の柔軟壁は、前記燃料貯蔵部または前記システムカバーのうちの１つ、あるいは両方の一部によって支持される、燃料電池システム。
【請求項２】
前記少なくとも１つの燃料電池と接触する集電回路をさらに備え、前記集電回路は、前記少なくとも１つの燃料電池によって発生する電流を受け取り、分配するように構成される、請求項１に記載の燃料電池システム。
【請求項３】
前記集電回路は、前記少なくとも１つの燃料電池と一体となっている、請求項２に記載の燃料電池システム。
【請求項４】
前記集電回路は、携帯用電子装置に前記燃料電池発生電流を分配するように構成される、請求項２に記載の燃料電池システム。
【請求項５】
前記携帯用電子装置は、携帯電話、衛星電話、ノートパソコン、コンピュータ付属品、表示部、個人用音声または映像プレーヤー、医療装置、テレビ、送信機、受信機、照明装置、電子玩具、あるいは動力工具を含む、請求項４に記載の燃料電池システム。
【請求項６】
燃料電池システムであって、
その中に燃料を貯蔵するように構成される燃料貯蔵部と、
前記燃料貯蔵部と流体を介して接触する少なくとも部分的には柔軟な燃料電池層と、
前記燃料貯蔵部と、前記少なくとも部分的には柔軟な燃料電池層との間に形成される反応体プレナムと、
を含み、
前記燃料貯蔵部は、電子装置内の割当空間の容積と実質的に一致することを特徴とする、燃料電池システム。
【請求項７】
前記燃料電池層を少なくとも部分的に囲むように構成された、システムカバーを更に含む、請求項６に記載の燃料電池システム。
【請求項８】
前記システムカバーが、前記電子装置のハウジングを含む、請求項７に記載の燃料電池システム。
【請求項９】
前記燃料貯蔵部が、燃料貯蔵材と、前記貯蔵材に一致して連結される囲い外壁とを含む、請求項６〜８のいずれかに記載の燃料電池システム。
【請求項１０】
前記燃料電池層と接触する集電回路であって、前記燃料電池層によって発生する電流を受け取り、分配するように構成される前記集電回路を更に含む、請求項６〜９のうちいずれかに記載の燃料電池システム。
【請求項１１】
前記集電回路が、前記燃料電池層と一体となっている、請求項１０に記載の燃料電池システム。
【請求項１２】
前記集電回路が、前記燃料電池が発生した電流を、前記電子装置へと分配するように構成される、請求項１０に記載の燃料電池システム。
【請求項１３】
前記電子装置が、携帯電話、衛星電話、ノートパソコン、コンピュータ付属品、表示部、個人用音声または映像プレーヤー、デジタルカメラ、ゲーム装置、医療装置、テレビ、送信機、受信機、照明装置、電子玩具、あるいは動力工具を含む、請求項６〜１２のうちいずれかに記載の燃料電池システム。
【請求項１４】
前記燃料貯蔵部は、圧力調整器または燃料補給ポートの１つまたは両方を含む、請求項６〜１３のいずれかに記載の燃料電池システム。
【請求項１５】
前記燃料電池層に隣接して配置される保護多孔部材をさらに備える、請求項６〜１４のいずれかに記載の燃料電池システム。
【請求項１６】
燃料電池システムを製作する方法であって、
その中に燃料を貯蔵するように構成される燃料貯蔵部を形成するステップと、
少なくとも部分的には柔軟な燃料電池層を形成するステップと、
前記燃料貯蔵部と、前記燃料電池層とを、それらの間に配置された反応体プレナムを形成するのに十分なように接触させるステップと、
前記燃料貯蔵部を、電子装置内の割当空間の容積と実質的に一致するように構成するステップと、
を含む、前記方法。
【請求項１７】
１つ以上の空気出入ポートを含むシステムカバーを形成するステップをさらに備える、請求項１６に記載の方法。
【請求項１８】
前記システムカバーを、前記燃料貯蔵部の一つ以上の部分と連結させるステップをさらに備える、請求項１７に記載の方法。
【請求項１９】
集電回路を前記燃料電池層に接触させるステップをさらに備える、請求項１６〜１８のうちのいずれかに記載の方法。
【請求項２０】
保護多孔部材を前記燃料電池層に隣接して配置するステップをさらに備える、請求項１６〜１９のうちのいずれかに記載の方法。
【請求項２１】
燃料電池システムであって、
陽極、陰極、およびそれらの間に配置される電解質を含む、少なくとも１つの燃料電池と、
燃料または燃料貯蔵材と、
前記少なくとも１つの燃料電池の第１の部分に隣接して位置する少なくとも１つの面を含む燃料貯蔵部であって、前記燃料または前記燃料貯蔵材を貯蔵するように構成される、燃料貯蔵部と、
前記少なくとも１つの燃料貯蔵面、および前記少なくとも１つの燃料電池の前記第１の部分の間に配置される燃料プレナムと、
を備える、燃料電池システム。
【請求項２２】
前記燃料プレナムは、封着部材によって少なくとも部分的に囲まれ、前記封着部材により、前記少なくとも１つの燃料貯蔵部面、および前記少なくとも１つの燃料電池の前記第１の部分の間に封着を提供する、請求項２１に記載の燃料電池システム。
【請求項２３】
前記少なくとも１つの燃料電池に隣接して位置する保護多孔部材をさらに備える、請求項２１もしくは２２のいずれかに記載の燃料電池システム。
【請求項２４】
少なくとも１つの空気出入ポートを含むシステムカバーをさらに備え、前記システムカバーは電子装置のハウジングを含む、請求項２１〜２３のいずれかに記載の燃料電池システム。
【請求項２５】
前記システムカバーは、保護多孔部材、集電回路、前記少なくとも１つの燃料電池、前記燃料プレナム、または前記燃料貯蔵部の一部のうちの１つ以上を収納する、請求項２４に記載の燃料電池システム。
【請求項２６】
電子調整回路をさらに備える、請求項２１〜２４のいずれかに記載の燃料電池システムであって、
前記集電回路は、前記少なくとも１つの燃料電池によって発生する前記電力を、前記電子調整回路へ分配するように構成される、燃料電池システム。
【請求項２７】
追加エネルギー電池をさらに備える、請求項２１〜２６のいずれかに記載の燃料電池システム。
【請求項２８】
前記燃料は水素を備える、請求項２１〜２７のいずれかに記載の燃料電池システム。
【請求項２９】
前記燃料貯蔵材が、物理吸着、化学吸着、もしくはそれらの組み合わせによって燃料を貯蔵する、請求項２１〜２８のいずれかに記載の燃料電池システム。
【請求項３０】
前記燃料貯蔵部は、燃料貯蔵材と、前記燃料貯蔵材剤に一致して連結される囲い外壁とを備える、請求項２１〜２９のいずれかに記載の燃料電池システム。
【請求項３１】
前記燃料貯蔵部は、圧力調整器または燃料補給ポートの１つまたは両方を含む、請求項２１〜３０のいずれかに記載の燃料電池システム。
【請求項３２】
携帯用電力を提供する燃料電池システムであって、
柔軟な燃料電池層と、
前記柔軟な燃料電池層と接触する水素貯蔵部であって、水素燃料を貯蔵するように構成される、水素貯蔵部と、
前記水素貯蔵部および前記柔軟な燃料電池層の間に配置される燃料プレナムと、
前記水素貯蔵部と接触する燃料補給ポートと、
を備える、燃料電池システム。
【請求項３３】
少なくとも１つの空気出入ポートを含むシステムカバーであって、前記燃料電池層、前記水素貯蔵部、及び前記燃料プレナムのうちの少なくとも１つを、少なくとも部分的に囲むように構成された前記システムカバーを更に含み、前記システムカバーは電子装置のハウジングを含む、請求項３１に記載の燃料電池システム。